(57)【要約】    【課題】収納物の出し入れが容易であり、収容物の脱落が十分防止され、なおかつ外観のかわいらしさを兼ね備えている携帯用収納袋を提供する。    【解決手段】上端が開口した本体（２）と、この本体（２）の上部に設けられた折り返し部（３）からなり、前記折り返し部（３）の上端（３１）と下端（３２）にそれぞれリング状締付け部（２４，２３）が設けられている携帯用収納袋。この携帯用収納袋は次のようにして製造される。（ａ）下端（２１）が閉鎖され、上端（２２）が開口しており、２本のリング状締付け部（２４，２３）を有する筒状生地（２０）を用意する。（ｂ）上側締付け部（２３）の下部で筒状生地（２０）を折り返す。（ｃ）次いで下側締付け部（２４）の上部でもう一度筒状生地（２０）を折り返す。【選択図】図２
2008136718.tif 000002
【特許請求の範囲】
【請求項１】
上端が開口した本体（２，２Ａ，２Ｂ）と、この本体（２，２Ａ，２Ｂ）の上部に設けられた折り返し部（３，３Ａ，３Ｂ）からなり、前記折り返し部（３，３Ａ，３Ｂ）の上端（３１，３１Ａ，３１Ｂ）と下端（３２，２２Ａ，２２Ｂ）にそれぞれリング状締付け部（２３，２３Ａ，２３Ｂ；２４，２４Ａ，２４Ｂ）が設けられていることを特徴とする携帯用収納袋。
【請求項２】
前記締付け部（２３，２３Ａ，２３Ｂ；２４，２４Ａ，２４Ｂ）が、編地を編成するときに予め、弾力のあるスパン糸を編み込むことにより形成されたものである請求項１記載の携帯用収納袋。
【請求項３】
前記折り返し部（３）は、生地が２回折り返されて、３重になっている請求項１又は２記載の携帯用収納袋。
【請求項４】
前記折り返し部（３Ａ，３Ｂ）は、生地が１回折り返されて、２重になっている請求項１又は２記載の携帯用収納袋。
【請求項５】
次の（ａ）〜（ｃ）の工程を有する携帯用収納袋の製造方法。
（ａ）下端（２１）が閉鎖され、上端（２２）が開口しており、２本のリング状締付け部（２４，２３）を有する筒状生地（２０）を用意する。
（ｂ）上側締付け部（２３）の下部（Ａ）で筒状生地（２０）を下方へ折り返す。
（ｃ）次いで下側締付け部（２４）の上部（Ｂ）でもう一度筒状生地（２０）を下方へ折り返す。
【請求項６】
次の（ａ）（ｂ）の工程を有する携帯用収納袋の製造方法。
（ａ）下端（２１Ａ）が閉鎖され、上端（２２Ａ）が開口しており、２本のリング状締付け部（２４Ａ，２３Ａ）を有する筒状生地（２０Ａ）を用意する。
（ｂ）下側締付け部（２４Ａ）の上部（Ｃ）で筒状生地（２０Ａ）を下方へ折り返す。
【請求項７】
次の（ａ）（ｂ）の工程を有する携帯用収納袋の製造方法。
（ａ）下端（２１Ｂ）が閉鎖され、上端（２２Ｂ）が開口しており、２本のリング状締付け部（２４Ｂ，２３Ｂ）を有する筒状生地（２０Ｂ）を用意する。
（ｂ）上側締付け部（２３Ｂ）の上部（Ｄ）で筒状生地（２０Ｂ）を下方へ折り返す。
【請求項８】
糸による縫いつけ固定により完成状態を維持する工程をさらに有する請求項３ないし５の何れかに記載の方法。
【発明の詳細な説明】
【技術分野】
【０００１】
本発明は、携帯用収納袋及びその製造方法に関する。この携帯用収納袋は、特に携帯電話、携帯用音楽プレーヤー等の電子機器の収納に適しているが、収納内容物は大きさの点で自ずから限定されるのを除けば限定はない。
【背景技術】
【０００２】
携帯用電子機器の収納袋は、多種多様なものが知られている。例えば、下記特許文献記載のようなものが公知である。
【特許文献１】特開平８−２００８４号
【特許文献２】特開平１０−１６７３４８号
【特許文献３】実用新案登録第３１１７８８５号
【特許文献４】実用新案登録第３１２１６４８号
【発明の開示】
【発明が解決しようとする課題】
【０００３】
上記特許文献の各収納袋は、耐衝撃性、帯電防止性、温度変化に対する耐久性、出し入れの容易性、等を目的としたものである。
【０００４】
本発明は、これらとは目的をやや異にしており、収納物の出し入れが容易であり、収容物の脱落が十分防止され、なおかつ外観のかわいらしさを兼ね備えている携帯用収納袋を提供することを目的とする。
【課題を解決するための手段】
【０００５】
本発明請求項１の携帯用収納袋は、上端が開口した本体と、本体の上部に設けられた折り返し部からなり、前記折り返し部の上端と下端にそれぞれリング状締付け部が設けられていることを特徴とする。
【０００６】
本発明請求項５の携帯用収納袋の製造方法は、次の工程を有する。
（ａ）下端が閉鎖され、上端が開口しており、途中に２本のリング状締付け部を有する筒状生地を用意する。
（ｂ）上側締付け部の下部で筒状生地を下方へ折り返す。
（ｃ）下側締付け部の上部でもう一度筒状生地を下方へ折り返す。
【０００７】
本発明請求項６の携帯用収納袋の製造方法は、次の工程を有する。
（ａ）下端が閉鎖され、上端が開口しており、２本のリング状締付け部を有する筒状生地を用意する。
（ｂ）下側締付け部の上部で筒状生地を下方へ折り返す。
【０００８】
本発明請求項７の携帯用収納袋の製造方法は、次の工程を有する。
（ａ）下端が閉鎖され、上端が開口しており、２本のリング状締付け部を有する筒状生地を用意する。
（ｂ）上側締付け部の上部で筒状生地を下方へ折り返す。
【発明の効果】
【０００９】
本発明の携帯用収納袋は、上端が開口しているので、収納物の出し入れが容易である。また、折り返し部の上端と下端に締付け部が設けられている。上端締付け部は、収納物が抜け落ちるのを防止する。下端締付け部は、折り返し部の裾が広がって見苦しくなるのを防止すると共に、収納物を中間部で締め付けて抜け落ちるのを防止する。さらに、下記する実施例によれば、全体的に、電子機器が温かい毛糸編地に包まれているようなかわいらしい印象を与えることができる。
【発明を実施するための最良の形態】
【００１０】
本発明の携帯用収納袋は、衝撃に耐えられるようにするために、毛糸からなる分厚い編地を使用するのが好ましい。縫い目のない丸編み地を使用するのが便利であるが、一側面を縫い合わせて筒状にしてもよい。
【００１１】
締付け部は、例えば編地を編成するときに予め、弾力のあるスパン糸（ゴム・ウレタン等）を編み込むことにより形成するのが便利である。この編成技術は、例えば靴下側上端部に見られるようにそれ自体公知である。その他、ゴムバンドのような弾力リングを後ではめて固定することもできる。締付け部の幅は、２〜１０ｍｍ程度が好ましい。
【００１２】
本明細書において、「締付け部の上部」「締付け部の下部」というとき、（１）締付け部を含んでさらになお連続してその「上部」「下部」である場合と、（２）締付け部を含まないで単にその「上部」「下部」である場合、の両方を含む。「上部」「下部」の範囲は、締付け部を含む場合、約３０ｍｍ以内（好ましくは２５ｍｍ以内）であり、締付け部を含まない場合、約２０ｍｍ以内（好ましくは１５ｍｍ以内）が好ましい。
【００１３】
折り返し部を形成するには、生地を２回折り返して３重にすることもできるし、生地を１回折り返して２重にすることもできる。
【実施例１】
【００１４】
図１は、本発明の一実施例に係る携帯用電子機器の収納袋１の全体正面図である。この図に示すように、この収納袋は完成状態で携帯電話４がすっぽりと収納されるサイズである。衝撃に耐えられるようにするために、毛糸からなる分厚い編地を使用する。全体は、袋本体２と、本体上部に位置する折り返し部３からなる。頂上は開口部であり、使用時においても通常、開口したままである。全体的な印象として、電子機器が温かい毛糸編地に包まれているようなかわいらしさが与えられるようにする。
【００１５】
図２（ａ）−（ｃ）は、その製造工程を示す図である。（ｃ）が図１に相当する完成状態である。
【００１６】
まず、（ａ）に示すような、下端２１が閉鎖され、上端２２が開口した筒状生地２０を用意する。この生地には製造時において、予め、スパン糸からなる締付け糸を編み込んで、幅が４ｍｍのリング状締付け部２３，２４を２本、筒状生地２０に形成しておく。この編成技術は、例えば靴下側上端部に見られるようにそれ自体公知である。
【００１７】
締付け部の位置は、下側締付け部２４が、完成状態で折り返し部３の上端３１に当たる位置であり、上側締付け部２３が折り返し部３の下端３２に当たる位置であるが、厳密にいえば、上端下端ともに若干の隙間はある。この実施例では、図２（ａ）において、（イ）は約５ｃｍ、（ロ）は約４ｃｍ、（ハ）は約１０ｃｍである。
【００１８】
続いて、（ａ）の状態から、矢印で示すように、上側締付け部２３の下部（Ａ）で折り返して（ｂ）の状態にする。筒状生地の上端２２は下側締付け部２４のやや上に来る。その後、矢印で示すように、下側締付け部２４の上方（Ｂ）でもう折り返して（ｃ）の状態にする。
【００１９】
（ｃ）の状態で完成であるが、完成状態を使用者が勝手に壊さないように、糸（図示せず）で少なくとも１個所折り返し部３を本体２に縫い付けるのが好ましい。また、図１に示すように、ストラップ等に接続できるようにぶら下げ用の紐５を取り付けるのが好ましい。
【００２０】
完成状態では、折り返し部３の上端３１と下端３２に締付け部２４，２３が袋の内側に現れる。上端締付け部２４は、収納物４が抜け落ちるのを防止する。下端締付け部２３は、折り返し部３の裾が広がって見苦しくなるのを防止すると共に、収納物４を中間部で締め付けて抜け落ちるのを防止する。
【実施例２】
【００２１】
図３は、本発明の第２実施例である。（ａ）が折り返し工程前の状態、（ｂ）が完成状態である。この第２実施例では、第１実施例において上側締付け部よりも上の部分が切り取られていると考えることができる。
【００２２】
まず、（ａ）に示すような、下端２１Ａが閉鎖され、上端２２Ａが開口した筒状生地２０Ａを用意する。この生地には製造時において、予め、スパン糸からなる締付け糸を編み込んで、幅が４ｍｍのリング状締付け部２３Ａ，２４Ａを２本、筒状生地２０Ａに形成しておく。この編成技術は、例えば靴下側上端部に見られるようにそれ自体公知である。
【００２３】
締付け部の位置は、下側締付け部２４Ａが、完成状態で折り返し部３Ａの上端３１Ａに当たる位置であり、上側締付け部２３Ａが上端２２Ａに当たる位置であるが、厳密にいえば、上端下端ともに若干の隙間はある。この実施例では、図３（ａ）において、（ニ）は約５ｃｍ、（ホ）は約１０ｃｍである。
【００２４】
続いて、（ａ）の状態から、矢印で示すように、下側締付け部の上方（Ｃ）で折り返して（ｂ）の状態にして完成である。完成状態を使用者が勝手に壊さないように、糸（図示せず）で少なくとも１個所折り返し部３Ａを本体２Ａに縫い付けるのが好ましい。また、図１に示すように、ストラップ等に接続できるようにぶら下げ用の紐５を取り付けるのが好ましい。
【００２５】
完成状態では、折り返し部３Ａの上端３１Ａと下端２２Ａに締付け部２４Ａ，２３Ａが袋の内側に現れる。上端締付け部２４Ａは、収納物４が抜け落ちるのを防止する。下端締付け部２３Ａは、折り返し部３Ａの裾が広がって見苦しくなるのを防止すると共に、収納物４を中間部で締め付けて抜け落ちるのを防止する。
【実施例３】
【００２６】
図４は、本発明の第３実施例である。（ａ）が折り返し工程前の状態、（ｂ）が完成状態である。
【００２７】
まず、（ａ）に示すような、下端２１Ｂが閉鎖され、上端２２Ｂが開口した筒状生地２０Ｂを用意する。この生地には製造時において、予め、スパン糸からなる締付け糸を編み込んで、幅は４ｍｍのリング状締付け部２３Ｂ，２４Ｂを２本、筒状生地２０Ｂに形成しておく。この編成技術は、例えば靴下側上端部に見られるようにそれ自体公知である。
【００２８】
締付け部の位置は、上側締付け部２３Ｂが、完成状態で折り返し部３Ｂの上端３１Ｂに当たる位置であり、下側締付け部２４Ｂが上端２２Ｂに当たる位置であるが、厳密にいえば、上端下端ともに若干の隙間はある。この実施例では、図４（ａ）において、（ヘ）は約５ｃｍ、（ト）は約１０ｃｍである。
【００２９】
続いて、（ａ）の状態から、矢印で示すように、上側締付け部の上方（Ｄ）で折り返して（ｂ）の状態にして完成である。完成状態を使用者が勝手に壊さないように、糸（図示せず）で少なくとも１個所折り返し部３Ｂを本体２Ｂに縫い付けるのが好ましい。また、図１に示すように、ストラップ等に接続できるようにぶら下げ用の紐５を取り付けるのが好ましい。
【００３０】
完成状態では、折り返し部３Ｂの上端３１Ｂと下端２２Ｂに締付け部２３Ｂ，２４Ｂが袋の内側に現れる。上端締付け部２３Ｂは、収納物４が抜け落ちるのを防止する。下端締付け部２４Ｂは、収納物４を中間部で締め付けて抜け落ちるのを防止する。
【図面の簡単な説明】
【００３１】
【図１】本発明の一実施例に係る携帯用電子機器の収納袋の全体正面図である。
【図２】（ａ）−（ｃ）は、その製造工程を示す図である。
【図３】本発明の第２実施例である。（ａ）が折り返し工程前の状態、（ｂ）が完成状態である。
【図４】本発明の第３実施例である。（ａ）が折り返し工程前の状態、（ｂ）が完成状態である。
【符号の説明】
【００３２】
１     携帯袋
２，２Ａ，２Ｂ       袋本体
２０，２０Ａ，２０Ｂ 筒状生地
２１，２１Ａ，２１Ｂ 筒状生地の下端
２２，２２Ａ，２２Ｂ 筒状生地の上端
２３，２３Ａ，２３Ｂ 上側締付け部
２４，２４Ａ，２４Ｂ 下側締付け部
３，３Ａ，３Ｂ       折り返し部
４     収納物（携帯電話）
３１，３１Ａ，３１Ｂ 折り返し部の上端
３２   折り返し部の下端
【図１】
2008136718.tif 000003
【図２】
2008136718.tif 000004
【図３】
2008136718.tif 000005
【図４】
2008136718.tif 000006